(57)【要約】【課題】浮遊像の周りに、プロジェクタ等による映像等を現して、その浮遊像に演出効果を与えることができる展示装置を提供する。【解決手段】平板状の結像光学素子Ｍと、この結像光学素子Ｍの下方に、その結像光学素子Ｍに対して所定角度傾斜した状態で設置された第１の半透明板１と、上記結像光学素子Ｍの周りに設置された第２の半透明板２と、これら第１および第２の半透明板１，２の下方に設置され、それら第１および第２の半透明板１，２に映像を投影するプロジェクタＰとを備えている。そして、上記プロジェクタＰから上記第１の半透明板１に投影された映像が、上記結像光学素子Ｍを介して、その結像光学素子Ｍの上方の空間に浮遊像Ｆとして結像し、上記プロジェクタＰから上記第２の半透明板２に投光された映像が、その第２の半透明板２の上面に現れる。【選択図】図１
2017068234.tif 000002
【特許請求の範囲】
【請求項１】
平板状の結像光学素子と、この結像光学素子の下方に、その結像光学素子に対して所定角度傾斜した状態で設置された第１の半透明板と、上記結像光学素子の周りに設置された第２の半透明板と、これら第１および第２の半透明板の下方に設置され、それら第１および第２の半透明板に投光する投光機とを備えた展示装置であって、上記投光機から上記第１の半透明板に投光された光による像または模様が、上記結像光学素子を介して、その結像光学素子の上方の空間に浮遊像として結像し、上記投光機から上記第２の半透明板に投光された光による像または模様が、その第２の半透明板の上面に現れることを特徴とする展示装置。
【請求項２】
上記投光機が、映像を投影するプロジェクタである請求項１記載の展示装置。
【請求項３】
上記第１の半透明板が、凹部または凸部を有している請求項１または２記載の展示装置。
【請求項４】
上記第２の半透明板が、凹部または凸部を有している請求項１〜３のいずれか一項に記載の展示装置。
【請求項５】
上記第２の半透明板が、内部に模様形成用の傷部を有し、その第２の半透明板の内部に、その傷部からなる模様が形成されている請求項１〜４のいずれか一項に記載の展示装置。
【請求項６】
上記第１の半透明板を複数備え、それぞれの第１の半透明板の面の向く方向が異なった状態で設置されている請求項１〜５のいずれか一項に記載の展示装置。
【請求項７】
人の動きを感知するセンサを備え、そのセンサが上記投光機と連動しており、上記浮遊像を見る人の動きに合わせて、上記投光機からの光を変化させるようになっている請求項１〜６のいずれか一項に記載の展示装置。
【発明の詳細な説明】
【技術分野】
【０００１】
本発明は、空間に浮かび上がる浮遊像を表示する展示装置に関するものである。
【背景技術】
【０００２】
本出願人は、これまでに、２次元映像を浮遊像として空間に浮かび上がるように表示する表示装置を提案している（例えば、特許文献１参照）。このものは、図１０に示すように、結像機能を有する平板状の結像光学素子（マイクロミラーアレイ）Ｍと、この結像光学素子Ｍの下方に、その結像光学素子Ｍに対して所定角度傾斜した状態で設置台Ｃに設置されたディスプレイＤとを備えている。そして、そのディスプレイＤに映し出された２次元映像を、上記結像光学素子Ｍの作用により、その結像光学素子Ｍの上方の空間に、浮遊像Ｆとして結像するようになっている。そして、その浮遊像Ｆを、下向きの視線Ｓによって見ることができる。なお、図１０において、符号Ｂ１は、上記結像光学素子Ｍおよび上記設置台Ｃを固定する筐体を示し、符号Ｅは人の目を示す。  
【０００３】
上記表示装置は、２次元映像を浮遊像Ｆとして空間に浮かび上がるように表示することから、その浮遊像Ｆは、その浮遊像Ｆを見る人に、強い印象を与える。
【先行技術文献】
【特許文献】
【０００４】
【特許文献１】特開２０１４−１１５６０６号公報
【発明の概要】
【発明が解決しようとする課題】
【０００５】
しかしながら、上記表示装置を店頭や展示会等の広いスペースで用いる場合等では、上記浮遊像Ｆが、さらに強い印象を与えることが要求される。その要求に応えるために、本発明者は、上記浮遊像Ｆの周りに、演出を加えることを着想した。すなわち、上記表示装置では、浮遊像Ｆの周りの演出に配慮がなされてなく、この点で上記表示装置は改善の余地がある。
【０００６】
本発明は、このような事情に鑑みなされたもので、浮遊像の周りに、プロジェクタ等による映像等を現して、その浮遊像に演出効果を与えることができる展示装置の提供をその目的とする。
【課題を解決するための手段】
【０００７】
上記の目的を達成するため、本発明の展示装置は、平板状の結像光学素子と、この結像光学素子の下方に、その結像光学素子に対して所定角度傾斜した状態で設置された第１の半透明板と、上記結像光学素子の周りに設置された第２の半透明板と、これら第１および第２の半透明板の下方に設置され、それら第１および第２の半透明板に投光する投光機とを備えた展示装置であって、上記投光機から上記第１の半透明板に投光された光による像または模様が、上記結像光学素子を介して、その結像光学素子の上方の空間に浮遊像として結像し、上記投光機から上記第２の半透明板に投光された光による像または模様が、その第２の半透明板の上面に現れるという構成をとる。
【０００８】
すなわち、本発明の展示装置では、投光機から光が第１および第２の半透明板に投光される。その第１の半透明板は、半透明であることから、上記投光機からその第１の半透明板に投光された光により、その第１の半透明板で像がつくられるとともに、その像は、その第１の半透明板を透過する。そして、上記第１の半透明板を透過した像は、前記従来の表示装置と同様にして、上記結像光学素子を介して、その結像光学素子の上方の空間に浮遊像として結像する。また、上記第２の半透明板も、半透明であることから、上記投光機からその第２の半透明板に投光された光により、その第２の半透明板で像がつくられるとともに、その像は、その第２の半透明板を透過し、その第２の半透明板の上面に現れる。
【０００９】
このように上記第１および第２の半透明板に像がつくられる場合以外にも、上記第１の半透明板の上面および下面の少なくとも一方にインクや彫刻により模様が形成されている場合がある。そのうち、第１の半透明板の上面に模様が形成されている場合は、上記投光機からその第１の半透明板に投光された光が、その第１の半透明板を透過し、その光により、上記第１の半透明板の上面において上記模様が現れる。一方、第１の半透明板の下面に模様が形成されている場合は、上記投光機からその第１の半透明板に投光された光により、上記模様が第１の半透明板を透過し、その第１の半透明板の上面に現れる。そして、このようにしてその第１の半透明板に現れた上記模様が、前記従来の表示装置と同様にして、上記結像光学素子を介して、その結像光学素子の上方の空間に浮遊像として結像する。また、第２の半透明板についても同様に、その第２の半透明板の上面および下面の少なくとも一方にインクや彫刻により模様が形成されている場合もある。その場合も、上記第１の半透明板と同様に、第２の半透明板の上面に上記模様が現れる。
【発明の効果】
【００１０】
本発明の展示装置は、平板状の結像光学素子の下方に、その結像光学素子に対して所定角度傾斜した状態で設置された第１の半透明板と、上記結像光学素子の周りに設置された第２の半透明板と、これら第１および第２の半透明板の下方に設置され、それら第１および第２の半透明板に投光する投光機とを備えている。そのため、上記投光機から上記第１の半透明板に投光された光による像や模様を、上記結像光学素子を介して、その結像光学素子の上方の空間に浮遊像として結像させることができる。また、上記投光機から上記第２の半透明板に投光された光による像や模様を、その第２の半透明板の上面に現すことができる。そして、その第２の半透明板の上面に現れた像や模様が、上記浮遊像の周りに見え、その浮遊像の浮遊して見えることと相俟って、その浮遊像に、演出効果を与えることができる。したがって、本発明の展示装置による浮遊像は、上記第２の半透明板の上面に現れる像や模様による演出により、浮遊感が増したり、際立ったりして、その浮遊像を見る人に、前記従来の表示装置による浮遊像よりも、さらに強い印象を与えることができる。しかも、上記浮遊像と、その浮遊像に演出効果を与える、上記第２の半透明板の上面に現れる像や模様とを、１個の上記投光機で実現することができる。
【００１１】
特に、上記投光機が、映像を投影するプロジェクタである場合には、上記浮遊像および上記第２の半透明板に現れる像が、映像となるため、上記浮遊像が与える印象が、より一層強くなる。
【００１２】
また、上記第１の半透明板が、凹部または凸部を有している場合には、その凹部または凸部に沿って、上記投光機からの光により像や模様が形成されるため、上記浮遊像も、上記凹部または凸部に沿った像や模様となり、立体的になる。そのため、上記浮遊像が与える印象が、より一層強くなる。
【００１３】
さらに、上記第２の半透明板が、凹部または凸部を有している場合には、その凹部または凸部に沿って、上記投光機からの光により像や模様が形成されるため、上記第２の半透明板の上面に現れる像や模様も、上記凹部または凸部に沿った像や模様となり、立体的になる。そのため、その像や模様による演出が、より一層効果的になる。
【００１４】
また、上記第２の半透明板が、内部に模様形成用の傷部を有し、その第２の半透明板の内部に、その傷部からなる模様が形成されている場合には、上記投光機から上記第２の半透明板に投光された光により、上記傷部からなる模様が強調され、上記浮遊像に、より一層の演出効果を与えることができる。
【００１５】
そして、上記第１の半透明板を複数備え、それぞれの第１の半透明板の面の向く方向が異なった状態で設置されている場合には、複数の上記浮遊像を結像することができ、各浮遊像をそれぞれ異なる方向から見ることができる。
【図面の簡単な説明】
【００１６】
【図１】本発明の展示装置の第１の実施の形態を模式的に示し、（ａ）はその平面図であり、（ｂ）は（ａ）のＸ−Ｘ断面図である。
【図２】（ａ）は、上記展示装置に用いる結像光学素子を構成する２枚の平板体を模式的に示す斜視図であり、（ｂ）は、上記結像光学素子を模式的に示す斜視図である。
【図３】本発明の展示装置の第２の実施の形態を模式的に示す断面図である。
【図４】本発明の展示装置の他の実施の形態を模式的に示す断面図である。
【図５】（ａ）〜（ｃ）は、図４に示す展示装置における第１の半透明板の設置形態の変形例を模式的に示す平面図である。
【図６】本発明の展示装置のさらに他の実施の形態を模式的に示す断面図である。
【図７】本発明の展示装置のさらに他の実施の形態を模式的に示す断面図である。
【図８】本発明の展示装置のさらに他の実施の形態を模式的に示す断面図である。
【図９】本発明の展示装置のさらに他の実施の形態を模式的に示す断面図である。
【図１０】従来の表示装置を模式的に示す断面図である。
【発明を実施するための形態】
【００１７】
つぎに、本発明の実施の形態を図面にもとづいて詳しく説明する。
【００１８】
図１（ａ）は、本発明の展示装置の第１の実施の形態を示す平面図であり、図１（ｂ）は、図１（ａ）のＸ−Ｘ断面図である。この実施の形態の展示装置は、水平に設置された平板状の結像光学素子（マイクロミラーアレイ）Ｍと、この結像光学素子Ｍの下方に傾斜した状態で設置された第１の半透明板１と、上記結像光学素子Ｍの周りに水平に設置された第２の半透明板２と、これら第１および第２の半透明板１，２の下方に設置されたプロジェクタ（投光機）Ｐとを備えている。このプロジェクタＰは、上記第１および第２の半透明板１，２に映像を投影する機器である。この実施の形態では、上記展示装置は、有底円筒状の筐体Ｂを備えており、その筐体Ｂの上端開口部分に、上記結像光学素子Ｍと上記第２の半透明板２とが固定され、上記第２の半透明板２の下面に、上記第１の半透明板１が固定されている。また、上記プロジェクタＰは、上記筐体Ｂの内部において、固定部材（図示せず）により固定されている。
【００１９】
そして、上記プロジェクタＰから上記第１の半透明板１に投影された映像が、その第１の半透明板１を透過して、上記結像光学素子Ｍを介し、その結像光学素子Ｍの上方の空間に浮遊像Ｆとして結像する。また、上記プロジェクタＰから上記第２の半透明板２に投影された映像が、その第２の半透明板２を透過して、その第２の半透明板２の上面に現れ、その第２の半透明板２の上面に現れた映像が、上記浮遊像Ｆの周りに、演出を加える。この実施の形態では、上記浮遊像Ｆを、下向きの視線Ｓによって見ることができる。なお、図１（ｂ）において、符号Ｅは人の目を示す。
【００２０】
より詳しく説明すると、上記プロジェクタＰは、先に述べたように、映像を投影する機器である。そのような機器としては、例えば、ＬＥＤ（発光ダイオード）プロジェクタ，ＬＣＤ（液晶）プロジェクタ，ＤＬＰ〔登録商標〕プロジェクタ，ＬＣＯＳ（Liquid Crystal On Silicon ）プロジェクタ等があげられる。
【００２１】
上記プロジェクタＰから投影される映像は、浮遊像Ｆとしたい映像部分が、上記第１の半透明板１に投影され、その浮遊像Ｆの周りに演出を加えたい映像部分が、上記第２の半透明板２に投影されるようになっている。
【００２２】
上記第１および第２の半透明板１，２は、上記プロジェクタＰから投影される映像を映すスクリーンとしての機能を有するとともに、その映像を透過する機能をも有する必要がある。そのため、上記第１および第２の半透明板１，２の可視光の透過率は、通常、１０〜９０％の範囲内に設定される。また、上記第１および第２の半透明板１，２の形成材料としては、例えば、アクリル樹脂等のポリマー材料，ガラス，布，トレーシングペーパー等があげられる。これらは、単独で用いてもよいし、２種類以上併せて用いてもよい。そして、上記第１および第２の半透明板１，２の厚みは、通常、０．５〜１０ｍｍの範囲内に設定される。さらに、上記第１および第２の半透明板１，２は、着色されていてもよいし、拡散粒子が入っていてもよいし、表面が粗面に形成されていてもよい。具体的には、ガラスに貼る、KIMOTO社製のディラッドスクリーンでもよい。
【００２３】
上記第１の半透明板１は、先に述べたように、水平に設置された平板状の結像光学素子Ｍの下方に傾斜した状態で設置されているが、その結像光学素子Ｍに対する上記第１の半透明板１の傾斜角度αは、上記結像光学素子Ｍにより上記浮遊像Ｆが適正に結像するように調整されている。その傾斜角度αは、通常、３０°以上９０°未満の範囲内に設定され、好ましくは、４０°以上８０°以下である。また、上記第１の半透明板１は、上記プロジェクタＰから上記第２の半透明板２に投影される映像の影にならないように設置されている。なお、この実施の形態では、上記第１の半透明板１は、平らな長方形状に形成されている。
【００２４】
上記第２の半透明板２は、先に述べたように、上記結像光学素子Ｍの周りに水平に設置されているが、この実施の形態では、上記結像光学素子Ｍを囲むように平らな円環状に形成されている。
【００２５】
上記結像光学素子Ｍは、この実施の形態では、図２（ａ）に示すように、片面（表面）に複数の直線状溝３ａが所定間隔で形成された光透過性の２枚の平板体３を、図２（ｂ）に示すように、各平板体３の直線状溝３ａが平面視で直交するよう、その表面同士を当接させたものとなっている。上記平板体３の形成材料としては、可視光の透過率が８０％以上のものが用いられ、例えば、アクリル樹脂，ガラス等があげられる。上記直線状溝３ａは、例えば、ダイシングブレード等を用いた彫り込み加工により形成される。その直線状溝３ａの寸法は、通常、幅が２０〜３５０μｍの範囲内、深さが５０〜５００μｍの範囲内、隣り合う直線状溝３ａの間の間隔が２０〜３００μｍの範囲内に設定される。上記平板体３の厚みは、通常、０．５〜１０ｍｍの範囲内に設定される。
【００２６】
上記結像光学素子Ｍを介して浮遊像Ｆが結像する原理について説明する。すなわち、上記第１の半透明板１に投影された映像からの光が、その第１の半透明板１を透過した後、上記結像光学素子Ｍの下側の平板体３の直線状溝３ａの側壁面で反射し、さらに、上側の平板体３の直線状溝３ａの側壁面で反射する。このように、上記結像光学素子Ｍでの２回の反射により、上記結像光学素子Ｍに対し、上記第１の半透明板１と面対称な位置に上記浮遊像Ｆが結像するのである。
【００２７】
図３は、本発明の展示装置の第２の実施の形態を示す断面図である。この実施の形態の展示装置は、図１（ａ），（ｂ）に示す第１の実施の形態において、第１の半透明板１に凹部（下方に凸）１ａが形成されており、その凹部１ａの部分が半球殻に形成されている。それ以外の部分は、上記第１の実施の形態と同様であり、同様の部分には、同じ符号を付している。
【００２８】
この実施の形態では、上記第１の半透明板１の半球殻の部分に投影された映像は、下方に凸の半球面状となるため、それの浮遊像Ｆは上方に凸の半球面状となり、立体的になる。特に、この実施の形態では、上記第１の半透明板１の半球殻の部分に投影される映像を、宇宙から見た地球の映像とし、上記第２の半透明板２に投影される映像を、他の多数の星や銀河が浮かぶ宇宙の映像とすると、地球が浮遊像Ｆとして宇宙に浮かんでいる状態を表現することができる。
【００２９】
本発明の展示装置の第３の実施の形態は、図１（ａ），（ｂ）に示す第１の実施の形態において、第１および第２の半透明板１，２の上面および下面の少なくとも一方に蛍光インクで模様が描かれている。また、投光機を、プロジェクタＰ〔図１（ｂ）参照〕に換えて、紫外線を出射する紫外線ライトを用いている。それ以外の部分は、上記第１の実施の形態と同様である。
【００３０】
この実施の形態では、第１および第２の半透明板１，２に蛍光インクで描かれた模様が、上記紫外線ライトから出射された紫外線に反応して光る。そして、その第１の半透明板１で光る模様が、浮遊像Ｆとなる。また、この第３の実施の形態においても、上記第１の半透明板１に凹部または凸部を形成してもよい。
【００３１】
本発明の展示装置の第４の実施の形態は、図１（ａ），（ｂ）に示す第１の実施の形態において、第１および第２の半透明板１，２の上面および下面の少なくとも一方に溝や穴を彫ることにより模様が形成されている。また、投光機を、プロジェクタＰ〔図１（ｂ）参照〕に換えて、単色ないし複数色の可視光を出射する可視光ライトを用いている。それ以外の部分は、上記第１の実施の形態と同様である。
【００３２】
この実施の形態では、上記可視光ライトから出射された可視光が、第１および第２の半透明板１，２に彫られた溝や穴で乱屈折および乱反射する。そして、第１の半透明板１で乱屈折および乱反射した可視光の模様が、浮遊像Ｆとなる。また、この第４の実施の形態においても、上記第１の半透明板１に凹部または凸部を形成してもよい。
【００３３】
なお、上記各実施の形態では、第１の半透明板１を１枚用いたが、複数枚用いてもよい。例えば、図４に断面図で示すように〔図４は図１（ａ），（ｂ）に示す第１の実施の形態の他の形態を示す〕、第１の半透明板１を２枚用い、それらを対面する位置（平面視で１８０°ずらした位置）に設置してもよい。この場合、結像光学素子Ｍに対する２枚の第１の半透明板１の傾斜角度αの大きさは同じとし、それぞれの第１の半透明板１の面の向く方向が異なった状態とする。このようにすると、それぞれの第１の半透明板１でつくられた像や模様の浮遊像Ｆが結像される。すなわち、展示装置の周りの対面する２個所の位置で浮遊像Ｆを見ることができる。
【００３４】
さらに、上記と同様にして、図５（ａ）に平面図で示すように、２枚の第１の半透明板１を、平面視で９０°ずらした位置に設置してもよい。このようにすると、展示装置の周りの９０°ずれた２個所の位置で浮遊像Ｆを見ることができる。また、図５（ｂ）に平面図で示すように、第１の半透明板１を３枚用い、それぞれを平面視で９０°ずらした位置に設置してもよい。このようにすると、展示装置の周りの９０°ずれた３個所の位置で浮遊像Ｆを見ることができる。さらに、図５（ｃ）に平面図で示すように、第１の半透明板１を４枚用い、それらを平面視で均等な（９０°ずつの）放射状に設置してもよい。このようにすると、展示装置の周りの９０°ずつ異なる４個所の位置で浮遊像Ｆを見ることができる。
【００３５】
そして、上記各実施の形態では、第２の半透明板２を平らな板状としたが、図６に断面図で示すように〔図６では図１（ａ），（ｂ）に示す第１の実施の形態の展示装置を用いている〕、その第２の半透明板２に凹部２ａまたは凸部２ｂを形成してもよい。なお、図６では凹部２ａと凸部２ｂの両方を形成している場合を示している。このようにすると、第２の半透明板２の上面に現れる像や模様を立体的にすることができる。また、上記各実施の形態では、上記第２の半透明板２を円環状としたが、結像光学素子Ｍを囲むように形成されていれば、他の形状でもよく、三角形や星型等の多角形の環状としてもよい。しかも、その環状は断続的であってもよい。また、第２の半透明板２の上面、または、断続的な環状の第２の半透明板２の途切れている部分に、展示する商品等を載置してもよい。
【００３６】
また、上記各実施の形態では、第２の半透明板２は、内部に模様が形成されていないものであるが、図７に断面図で示すように〔図７では図１（ａ），（ｂ）に示す第１の実施の形態の展示装置を用いている〕、内部に模様２ｃが形成されているものでもよい。その模様２ｃとしては、例えば、花や動物等の自然界の模様，自動車等の工業製品や城等の建造物等の人工的な模様，幾何学模様，文字等の模様等があげられる。このように内部に模様２ｃが形成されている第２の半透明板２を用いると、上記投光機（図７ではプロジェクタＰ）から上記第２の半透明板２に投光された光により、上記模様２ｃが強調され、上記浮遊像Ｆに、より一層の演出効果を与えることができる。
【００３７】
内部に模様２ｃが形成されている上記第２の半透明板２を形成する方法としては、例えば、レーザ加工による方法があげられる。この方法は、上記第２の半透明板２を形成するためのガラス等の透明板を準備し、その透明板の内部において、上記模様２ｃを形成したい個所に、レーザ光をレンズにより集光させる方法である。その方法により、その集光個所に小さなクラック（傷部）を形成する。そのクラックの部分は、光を乱屈折および乱反射させるため、白い点に見える。そして、上記集光個所の位置を変えて、上記クラックの形成を繰り返し、多数の小さなクラック（白い点）からなる模様２ｃを形成する。この多数の小さな白い点（模様２ｃ）により、上記透明板が半透明となり、内部に模様２ｃが形成されている上記第２の半透明板２が形成される。
【００３８】
さらに、上記各実施の形態では、図８に断面図で示すように、展示装置〔図８では図１（ａ），（ｂ）に示す第１の実施の形態の展示装置を用いている〕の、例えば筐体Ｂに、人の動きを感知するセンサ５を設けてもよい。この場合、そのセンサ５と投光機（プロジェクタＰ）とを電気配線６で接続することにより、それらセンサ５と投光機（プロジェクタＰ）とを連動させ、浮遊像Ｆを見る人の動きに合わせて、上記投光機からの光（プロジェクタＰからの映像等）を変化させるようにしてもよい。上記センサ５としては、赤外線センサ，静電容量型センサ等があげられる。
【００３９】
また、上記各実施の形態では、展示装置の構成品（結像光学素子Ｍ，第１および第２の半透明板１，２，投光機）を、筐体Ｂを用いて固定したが、他でもよく、例えば、フレーム等を用いて固定してもよいし、既存の壁やテーブル等の内部に固定してもよい。
【００４０】
そして、上記各実施の形態では、浮遊像Ｆを、下向きの視線Ｓによって見るようにしたが、例えば、図９に断面図で示すように、展示装置〔図９では図１（ａ），（ｂ）に示す第１の実施の形態の展示装置を用いている〕を上下逆さまに設置し、浮遊像Ｆを、上向きの視線Ｓによって見るようにしてもよい。また、この場合、展示装置の上記構成品を、既存の壁や天井等の内部に固定してもよい。この形態では、展示装置の構成の上下関係が上記各実施の形態と逆になる。このようにして使用する展示装置も本発明に含める意味である。
【００４１】
また、展示装置を、浮遊像Ｆを見る人の側に４５°程度傾けて設置し、浮遊像Ｆを、略水平の視線Ｓによって見るようにしてもよい。この場合でも、展示装置の上記構成品を、既存の壁やテーブル等の内部に固定してもよい。
【００４２】
さらに、上記各実施の形態では、結像光学素子Ｍを、片面（表面）に複数の直線状溝３ａが所定間隔で形成された光透過性の２枚の平板体３を、各平板体３の直線状溝３ａが平面視で直交するよう、その表面同士を当接させたものとしたが〔図２（ａ），（ｂ）参照〕、他でもよい。例えば、上記結像光学素子Ｍは、各平板体３の直線状溝３ａが平面視で直交するよう、一方の平板体３の表面と、他方の平板体３の裏面（複数の直線状溝３ａが形成されていないもう一方の片面）とを当接させたものでもよいし、裏面同士を当接させたものでもよい。また、上記結像光学素子Ｍは、１枚の平板体３の両面に、直線状溝３ａが平面視で直交するよう形成したものであってもよい。
【００４３】
つぎに、実施例について説明する。但し、本発明は、実施例に限定されるものではない。
【実施例】
【００４４】
〔実施例１〕
下記の構成品を用い、図１（ａ），（ｂ）に示す展示装置を作製した。
結像光学素子Ｍ：厚み２ｍｍの透明アクリル樹脂板の両面に、ダイシングブレードを用いて、直線状溝３ａが平面視で直交するよう形成した。直線状溝３ａの寸法は、幅１５０μｍ、深さ４００μｍとし、隣り合う直線状溝３ａの間の間隔は、３０μｍとした。
第１および第２の半透明板１，２：サーモ社製の農業用ポリエチレン樹脂フィルム（光透過率８０％、厚み０．０５ｍｍ）を、厚み１ｍｍの透明アクリル樹脂板（光透過率約１００％）の上面に貼着した。
プロジェクタＰ：Koolertron社製の小型ＬＥＤプロジェクタ。
【００４５】
その展示装置において、結像光学素子Ｍに対する第１の半透明板１の傾斜角度αを５５°とした。そして、プロジェクタＰから第１および第２の半透明板１，２に映像を投影した。その結果、第１の半透明板１に投影された映像が、結像光学素子Ｍの上方の空間に浮遊像Ｆとして結像した。その浮遊像Ｆを、結像光学素子Ｍに対して、５５°上方から、下向きの視線Ｓによって見ることができた。また、第２の半透明板２に投影された映像が、その第２の半透明板２の上面に現れ、その第２の半透明板２の上面に現れた映像が、上記浮遊像Ｆの周りに、演出を加えた。
【００４６】
〔実施例２〕
上記実施例１において、第１および第２の半透明板１，２の上面に、蛍光インク（シンロイヒ社製、ルミノサイン）で模様を描いた。また、上記実施例１のプロジェクタＰに換えて、紫外線ライト（東芝社製、ブラックライト）を用いた。それ以外の部分は、上記実施例１と同様とした。そして、その紫外線ライトから第１および第２の半透明板１，２に紫外線（波長３６５ｎｍ）を出射した。その結果、第１および第２の半透明板１，２に蛍光インクで描かれた模様が、上記紫外線ライトから出射された紫外線に反応して光った。そして、その第１の半透明板１で光る模様が、浮遊像Ｆとなった。
【００４７】
〔実施例３〕
上記実施例１において、第１の半透明板１に凹部１ａを形成し、その凹部１ａの部分を直径４０ｍｍの半球殻に形成し、図３に示す展示装置を作製した。それ以外の部分は、上記実施例１と同様とした。その結果、上記半球殻の部分に投影された映像の浮遊像Ｆが上方に凸の半球面状となり、立体的になった。
【００４８】
〔実施例４〕
上記実施例１において、第１の半透明板１を２枚とし、それらを対面する位置に設置し、図４に示す展示装置を作製した。それ以外の部分は、上記実施例１と同様とした。その結果、展示装置の周りの対面する２個所の位置で浮遊像Ｆを見ることができた。
【００４９】
〔実施例５〕
上記実施例１において、筐体Ｂの外周面に、人の動きを感知するセンサ５（シャープ社製、距離センサ：GP2Y0A21TK）を設け、そのセンサ５とプロジェクタＰとを連動させ、人の動きに合わせて、上記プロジェクタＰからの映像を変化させるようにした（図８参照）。それ以外の部分は、上記実施例１と同様とした。その結果、浮遊像Ｆを見る人の動きに合わせて、浮遊像Ｆを変化させることができた。
【００５０】
さらに、上記実施例１〜５において、第２の半透明板２に凹部２ａと凸部２ｂとを形成すると、その第２の半透明板２の上面に現れる映像や模様も、上記凹部２ａと凸部２ｂとに沿った映像や模様となり、立体的になった（図６参照）。
【００５１】
また、上記実施例１〜５において、第２の半透明板２を、内部にレーザ加工により形成された模様２ｃを有するものとすると、その模様２ｃにより、上記浮遊像Ｆに、より一層の演出効果を与えることができた（図７参照）。
【産業上の利用可能性】
【００５２】
本発明の展示装置は、浮遊像の周りに、演出を加える場合に利用可能である。
【符号の説明】
【００５３】
Ｆ  浮遊像
Ｍ  結像光学素子
Ｐ  プロジェクタ
１  第１の半透明板
２  第２の半透明板
【図１】
2017068234.tif 000003
【図２】
2017068234.tif 000004
【図３】
2017068234.tif 000005
【図４】
2017068234.tif 000006
【図５】
2017068234.tif 000007
【図６】
2017068234.tif 000008
【図７】
2017068234.tif 000009
【図８】
2017068234.tif 000010
【図９】
2017068234.tif 000011
【図１０】
2017068234.tif 000012